(57)【特許請求の範囲】
【請求項１】
動画撮影を行う撮影装置であって、
撮像手段により撮像される撮像画像内の位置が可変である測定領域に基づき、撮像条件を調整する第１の調整手段と、
撮像画像内の位置が固定である測定領域に基づき、撮像条件を調整する第２の調整手段と、
動画撮影中は前記第１の調整手段による撮像条件の調整を継続する制御を行う調整制御手段と、
前記調整制御手段による撮像条件を調整する制御の変更指示を、ユーザによる所定の操作子の操作を契機として行う変更指示手段と、
を備え、
前記調整制御手段は、前記第１の調整手段による撮像条件の継続した調整中における前記変更指示手段の指示により、前記第１の調整手段による撮像条件の調整を中断して、前記第２の調整手段による撮像条件の調整を開始した後に、前記変更指示手段による指示が行われた際に、前記第２の調整手段が調整した撮像条件を基準として、前記第１の調整手段による撮像条件の調整を再開することを特徴とする撮影装置。
【請求項２】
前記第１の調整手段は、複数の測定領域において動画撮影中に変化する各々の測定結果に基づいて、撮像条件の決定に用いる測定領域を変化させながら撮像条件を逐次調整し、
前記第２の調整手段は、予め指定された固定である測定領域において動画撮影中に変化する測定結果に基づいて撮像条件を逐次調整することを特徴とする請求項１に記載の撮影装置。
【請求項３】
前記調整制御手段は、前記変更指示手段の指示により、前記第２の調整手段による撮像条件の調整を開始し、調整が完了した後、前記第２の調整手段が調整した撮像条件を基準として、前記第１の調整手段による撮像条件の調整を再開することを特徴とする請求項１又は２に記載の撮影装置。
【請求項４】
前記調整制御手段は、前記変更指示手段の指示により、前記第２の調整手段による撮像条件の調整を開始し、調整が完了した後は、前記変更指示手段による指示が行われるまでは、その調整が完了した状態を保持することを特徴とする請求項１又は２に記載の撮影装置。
【請求項５】
前記第１の調整手段は、撮像画像内の複数の測定領域に基づき、撮像条件を調整し、
前記第２の調整手段は、複数の測定領域のうちのいずれか１つの測定領域に基づき、撮像条件を調整することを特徴とする請求項１から４のいずれか１項に記載の撮影装置。
【請求項６】
前記第２の調整手段が撮像条件の調整に使用する領域を、複数の測定領域のうちからユーザの所定の操作により設定する領域設定手段を、更に備えることを特徴とする請求項５に記載の撮影装置。
【請求項７】
前記第１の調整手段及び前記第２の調整手段は、撮像条件として、フォーカス、露出又はホワイトバランスのうちのいずれか又はそれらの組み合わせを調整することを特徴とする請求項１から６のいずれか１項に記載の撮影装置。
【請求項８】
動画撮影を行う撮影装置において実行される撮像制御方法であって、
撮像手段により撮像される撮像画像内の位置が可変である測定領域に基づき、撮像条件を調整する第１の調整処理と、
撮像画像内の位置が固定である測定領域に基づき、撮像条件を調整する第２の調整処理と、
動画撮影中は前記第１の調整処理による撮像条件の調整を継続する制御を行う調整制御処理と、
前記調整制御処理による撮像条件を調整する制御の変更指示を、ユーザによる所定の操作子の操作を契機として行う変更指示処理と、
を含み、
前記調整制御処理においては、前記第１の調整処理による撮像条件の継続した調整中における前記変更指示処理における指示により、前記第１の調整処理による撮像条件の調整を中断して、前記第２の調整処理による撮像条件の調整を開始した後に、前記変更指示処理による指示が行われた際に、前記第２の調整処理が調整した撮像条件を基準として、前記第１の調整処理による撮像条件の調整を再開することを特徴とする撮像制御方法。
【請求項９】
動画撮影を行う撮影装置を制御するコンピュータに、
撮像手段により撮像される撮像画像内の位置が可変である測定領域に基づき、撮像条件を調整する第１の調整機能と、
撮像画像内の位置が固定である測定領域に基づき、撮像条件を調整する第２の調整機能と、
動画撮影中は前記第１の調整機能による撮像条件の調整を継続する制御を行う調整制御機能と、
前記調整制御機能による撮像条件を調整する制御の変更指示を、ユーザによる所定の操作子の操作を契機として行う変更指示機能と、
を備え、
前記調整制御機能は、前記第１の調整機能による撮像条件の継続した調整中における前記変更指示機能の指示により、前記第１の調整機能による撮像条件の調整を中断して、前記第２の調整機能による撮像条件の調整を開始した後に、前記変更指示機能による指示が行われた際に、前記第２の調整機能が調整した撮像条件を基準として、前記第１の調整機能による撮像条件の調整を再開することを特徴とするプログラム。
【発明の詳細な説明】
【技術分野】
【０００１】
本発明は、撮影装置、撮像制御方法及びプログラムに関する。
【背景技術】
【０００２】
従来、動画撮影開始時に撮像画像上に複数配置されたＡＦ（Ａｕｔｏ  Ｆｏｃｕｓ）枠に対してＡＦ測距を行い、所定のＡＦ枠において合焦するフォーカスレンズの位置をフォーカス位置とするマルチエリアＡＦが用いられている。
このとき、例えば、撮像画像のコントラストが最も高くなるフォーカスレンズの位置をフォーカス位置とするコントラストＡＦ等によって、各ＡＦ枠内の合焦状態が判定される。
また、動画撮影は被写体の動きを撮影できることに特徴があるため、動画撮影中は合焦したＡＦ枠のフォーカス位置を基準として、引き続き複数のＡＦ枠に対してＡＦ測距を行うことで、被写体の動きを追尾してフォーカス調整を行うコンティニュアスＡＦが実行される。
なお、動画撮影時のＡＦ制御に関する技術は、例えば、特許文献１に記載されている。
【先行技術文献】
【特許文献】
【０００３】
【特許文献１】特開２０１４−１４９３８９号公報
【発明の概要】
【発明が解決しようとする課題】
【０００４】
しかしながら、マルチエリアＡＦの場合、例えば、より多くのＡＦ枠において合焦するフォーカスレンズの位置を優先してフォーカス位置とする等の方法が用いられるため、ユーザが意図しない被写体に合焦することがある。このような状況は、特にコンティニュアスＡＦにおいて、被写体の動きが激しく、撮像画面から被写体が外れてしまったり、急激に大きく動いてしまったりする場合に、コンティニュアスＡＦが被写体に追随できなくなることによって発生し易い。そして、このような状況が発生すると、ユーザの意図する被写体に合焦させるためのフォーカス調整に長時間を要することとなる。
なお、このような状況は、フォーカス調整に限らず、露出あるいはホワイトバランスといった他の撮像条件でも生じ得る。
【０００５】
本発明は、このような状況に鑑みてなされたものであり、動画撮影中の適切な撮像条件を維持することを目的とする。
【課題を解決するための手段】
【０００６】
上記目的を達成するため、本発明の一態様の撮影装置は、
動画撮影を行う撮影装置であって、
撮像手段により撮像される撮像画像内の位置が可変である測定領域に基づき、撮像条件を調整する第１の調整手段と、
撮像画像内の位置が固定である測定領域に基づき、撮像条件を調整する第２の調整手段と、
動画撮影中は前記第１の調整手段による撮像条件の調整を継続する制御を行う調整制御手段と、
前記調整制御手段による撮像条件を調整する制御の変更指示を、ユーザによる所定の操作子の操作を契機として行う変更指示手段と、
を備え、
前記調整制御手段は、前記第１の調整手段による撮像条件の継続した調整中における前記変更指示手段の指示により、前記第１の調整手段による撮像条件の調整を中断して、前記第２の調整手段による撮像条件の調整を開始した後に、前記変更指示手段による指示が行われた際に、前記第２の調整手段が調整した撮像条件を基準として、前記第１の調整手段による撮像条件の調整を再開することを特徴とする。
【発明の効果】
【０００７】
本発明によれば、動画撮影中の適切な撮像条件を維持することができる。
【図面の簡単な説明】
【０００８】
【図１】本発明の一実施形態に係る撮影装置のハードウェアの構成を示すブロック図である。
【図２】図１の撮影装置の機能的構成のうち、動画撮影処理を実行するための機能的構成を示す機能ブロック図である。
【図３】マルチエリアＡＦによるフォーカス制御が行われた場合と、スポットＡＦによるフォーカス制御が行われた場合とを比較する模式図であり、図３（Ａ）は背景より近い距離にある主要被写体（花）が画像中央に位置している場合、図３（Ｂ）は背景より遠い距離にある主要被写体（人物）が画像中央に位置している場合を示す図である。
【図４】図２の機能的構成を有する図１の撮影装置が実行する動画撮影処理の流れを説明するフローチャートである。
【図５】動画撮影処理のステップＳ１において実行される動画コンティニュアスＡＦ制御処理の流れを説明するフローチャートである。
【図６】変形例１における動画撮影処理の流れを説明するフローチャートである。
【図７】変形例２における動画撮影処理の流れを説明するフローチャートである。
【発明を実施するための形態】
【０００９】
以下、本発明の実施形態について、図面を用いて説明する。
【００１０】
図１は、本発明の一実施形態に係る撮影装置１のハードウェアの構成を示すブロック図である。
撮影装置１は、例えばデジタルカメラとして構成される。
【００１１】
撮影装置１は、レンズユニット１１と、撮像データ処理部１２と、コントラスト値出力部１３と、ＡＦ演算部１４と、レンズ駆動制御部１５と、ＤＭＡ（Ｄｉｒｅｃｔ  Ａｃｃｅｓｓ）コントローラ１６と、ＤＲＡＭ（Ｄｉｎａｍｉｃ  Ｒａｎｄｏｍ  Ａｃｃｅｓｓ  Ｍｅｍｏｒｙ）インターフェース１７と、ＤＲＡＭ１８と、ストロボ駆動部１９と、ストロボ発光部２０と、ＲＯＭ（Ｒｅａｄ  Ｏｎｌｙ  Ｍｅｍｏｒｙ）２１と、入力部２２と、ＣＰＵ（Ｃｅｎｔｒａｌ  Ｐｒｏｃｅｓｓｉｎｇ  Ｕｎｉｔ）２３と、画像処理部２４と、ＶＲＡＭ（Ｖｉｄｅｏ  Ｒａｎｄｏｍ  Ａｃｃｅｓｓ  Ｍｅｍｏｒｙ）コントローラ２５と、ＶＲＡＭ２６と、表示部２７と、ドライブ２８と、を備えている。なお、これらのうち、レンズユニット１１、撮像データ処理部１２、コントラスト値出力部１３、ＡＦ演算部１４及びレンズ駆動制御部１５は、撮像部１Ａを構成している。
【００１２】
レンズユニット１１は、ズームレンズ１１ａと、露光制御部１１ｂと、フォーカスレンズ１１ｃと、撮像素子１１ｄと、を備えている。
ズームレンズ１１ａは、焦点距離を一定の範囲で自在に変化させる。
露光制御部１１ｂは、絞り羽根、ＮＤ（Ｎｅｕｔｒａｌ  Ｄｅｎｓｉｔｙ）フィルタ、シャッタ等を備え、撮像素子１１ｄへの露光量を制御する。なお、ＮＤフィルタを絞りとして用いる場合、絞り羽根を備えない構成とすることもできる。
フォーカスレンズ１１ｃは、撮像素子１１ｄの受光面に被写体像を結像させるレンズであり、後述するレンズ駆動制御部１５によって位置（フォーカス位置）が調節されることにより、被写体の合焦を行うレンズである。
撮像素子１１ｄは、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。撮像素子１１ｄには、レンズユニット１１を介して被写体像が入射される。撮像素子１１ｄは、一定時間毎に被写体像を光電変換（撮影）し、光電変換によって取得される画像信号をアナログ信号として出力する。この画像信号が蓄積される一定時間が、シャッタ速度に相当する。
【００１３】
撮像データ処理部１２は、撮像素子１１ｄから供給されるアナログの画像信号に対してＡ／Ｄ（Ａｎａｌｏｇ／Ｄｉｇｉｔａｌ）変換処理等の各種信号処理を施すことで、ディジタルの画像信号（以下、「撮像画像」と呼ぶ）を生成する。ここで、撮影装置１の撮像画像内には、マルチエリアＡＦにおいて用いられるマトリクス状（例えば５行×５列のマトリクス状等）のＡＦ枠またはスポットＡＦにおいて用いられる１つのＡＦ枠が設定される。スポットＡＦとは、１つのＡＦ枠においてＡＦ測距することにより、フォーカスレンズ１１ｃをＡＦ枠の被写体に合焦する位置に制御するフォーカス調整方法である。撮像データ処理部１２によって生成された撮像画像は、ＤＭＡコントローラ１６に出力されると共に、コントラスト値出力部１３によって参照される。
【００１４】
コントラスト値出力部１３は、撮像画像における各ＡＦ枠内の領域について、コントラスト値を出力する。コントラスト値は、例えば、各ＡＦ枠内の領域について、最も暗い部分と最も明るい部分との輝度の差として取得することができる。
ＡＦ演算部１４は、コントラスト値出力部１３によって出力されたコントラスト値に基づいて、フォーカスレンズ１１ｃのフォーカス位置を演算し、出力する。即ち、ＡＦ演算部１４は、ＣＰＵ２３によって合焦させるＡＦ枠と判定されたＡＦ枠において、コントラスト値が最も高くなる（ピークが最大となる）フォーカスレンズ１１ｃのフォーカス位置を演算して出力する。
レンズ駆動制御部１５は、レンズユニット１１における各レンズを駆動する。具体的には、レンズ駆動制御部１５は、ＡＦ演算部１４によって演算されたフォーカス位置に基づいて、フォーカスレンズ１１ｃを光軸方向に移動させる。また、レンズ駆動制御部１５は、ＣＰＵ２３からの指示信号に従って、指示された焦点距離となるように、ズームレンズ１１ａを光軸方向に移動させる。
【００１５】
ＤＭＡコントローラ１６は、撮像データ処理部１２から出力される撮像画像を、ＤＲＡＭインターフェース１７を介して、ＤＲＡＭ１８に入力する。
ＤＲＡＭインターフェース１７は、ＤＲＡＭ１８におけるデータの入出力を制御する。
ＤＲＡＭ１８には、ＣＰＵ２３が各種の処理を実行する上において必要なデータ等が適宜記憶される。
【００１６】
ストロボ駆動部１９は、撮影条件等に応じてＣＰＵ２３から入力される指示信号に応じて、ストロボ発光部２０における発光の制御を行う。例えば、ストロボ駆動部１９は、ストロボ発光部２０における発光量及び発光時間等を制御する。
ストロボ発光部２０は、キセノン放電管あるいはＬＥＤ（Ｌｉｇｈｔ  Ｅｍｉｔｔｉｎｇ  Ｄｉｏｄｅ）等の光源を備え、ストロボ駆動部１９の制御に従って、光源を発光させる。
【００１７】
ＲＯＭ２１は、ＣＰＵ２３が実行する各種プログラムや、各種処理において用いられるデータを記憶する。
入力部２２は、各種釦等で構成され、ユーザの指示操作に応じて各種情報をＣＰＵ２３に入力する。
ＣＰＵ２３は、ＲＯＭ２１に記録されているプログラムに従って各種の処理を実行する。
画像処理部２４は、撮像画像の圧縮処理及び伸長処理を実行する。
【００１８】
ＶＲＡＭコントローラ２５は、ＶＲＡＭ２６に表示用のデータを記憶したり、ＶＲＡＭ２６に記憶された表示用のデータを表示部２７に出力したりする。
ＶＲＡＭ２６は、ＶＲＡＭコントローラ２５を介してＣＰＵ２３あるいは画像処理部２４等から入力される表示用のデータを記憶する。
表示部２７は、ＶＲＡＭコントローラ２５を介して入力されるＶＲＡＭ２６に記憶された表示用のデータに基づいて、画面表示を行う。
【００１９】
ドライブ２８には、磁気ディスク、光ディスク、光磁気ディスク、あるいは半導体メモリ等よりなる、リムーバブルメディア２９が適宜装着される。ドライブ２８によってリムーバブルメディア２９から読み出されたプログラムは、必要に応じてＲＯＭ２１等にインストールされる。また、リムーバブルメディア２９は、ＤＲＡＭ１８等に記憶されている画像のデータ等の各種データも、ＤＲＡＭ１８等と同様に記憶することができる。
【００２０】
図２は、このような撮影装置１の機能的構成のうち、動画撮影処理を実行するための機能的構成を示す機能ブロック図である。
動画撮影処理とは、マルチエリアＡＦに基づくフォーカス調整を行いながら、コンティニュアスＡＦを実行し、ユーザの指示に応じて、スポットＡＦに基づくフォーカス調整に切り替えて動画を撮影する一連の処理をいう。
【００２１】
動画撮影処理が実行される場合には、図２に示すように、ＣＰＵ２３において、ＡＦ調整制御部５１と、第１ＡＦ調整部５２と、第２ＡＦ調整部５３と、ＡＦ枠設定部５４とが機能する。
また、ＤＲＡＭ１８の一領域には、画像記憶部７１が設定される。
画像記憶部７１には、動画撮影処理によって撮影された撮像画像のデータが記憶される。
【００２２】
ＡＦ調整制御部５１は、入力部２２における所定の操作子の操作（例えば、シャッタボタンの半押しまたは十字キーの中心に設置された「ＳＥＴ」キーの押下等）に応じて、第１ＡＦ調整部５２によるフォーカス調整と第２ＡＦ調整部５３によるフォーカス調整とを切り替える。本実施形態において、ＡＦ調整制御部５１は、動画撮影中の通常の状態では、第１ＡＦ調整部５２によるコンティニュアスＡＦを実行させ、所定の操作子が操作された場合、第２ＡＦ調整部５３によるスポットＡＦを実行させる。
【００２３】
第１ＡＦ調整部５２は、複数のＡＦ枠に対してＡＦ測距を行い、いずれかのＡＦ枠において合焦するフォーカスレンズの位置をフォーカス位置とするマルチエリアＡＦによって、コンティニュアスＡＦを実行する。具体的には、第１ＡＦ調整部５２は、ＡＦ演算部１４から出力された複数のＡＦ枠における撮像画像のコントラストが最大となるピークに基づき（コントラスト値をサーチし）、フォーカス調整の初期においては、ピークが最大となるＡＦ枠がより多いフォーカスレンズの位置をフォーカス位置とする。即ち、被写体までの距離が同一とみなされる被写体のうち、より面積の広い被写体を優先する。また、第１ＡＦ調整部５２は、いずれかの被写体に合焦した後は、現在のフォーカス位置を基準として、前後の所定範囲でフォーカスレンズを移動させ、各ＡＦ枠における撮像画像のコントラストのピークを検出することにより、ピークが最大となるフォーカスレンズの位置をフォーカス位置として、特定の被写体に継続的に合焦させる。
【００２４】
第２ＡＦ調整部５３は、所定の操作子が操作された場合、１つのＡＦ枠に対してＡＦ測距を行い、このＡＦ枠における撮像画像のコントラストのピークを検出することにより、ピークが最大となるフォーカスレンズの位置をフォーカス位置とする。具体的には、第２ＡＦ調整部５３は、ＡＦ演算部１４から出力された１つのＡＦ枠における撮像画像のコントラストが最大となるピークに基づき（コントラスト値をサーチし）、このピークが最大となるフォーカスレンズの位置をフォーカス位置とする。
ＡＦ枠設定部５４は、第１ＡＦ調整部５２または第２ＡＦ調整部５３の指示に応じて、マルチエリアＡＦのための複数のＡＦ枠を設定したり、スポットＡＦのための１つのＡＦ枠を設定したりする。スポットＡＦのＡＦ枠は、フォーカス調整が行われている間、固定的に撮像画像の中央に設定される。
【００２５】
このような構成により、撮影装置１は、マルチエリアＡＦによるＡＦ調整を行いながら、コンティニュアスＡＦを行っている際に、被写体に合焦しない状態となった場合、所定の操作子を操作することによって、スポットＡＦに切り替えることができる。
これにより、コンティニュアスＡＦが被写体に追随できなくなった場合に、マルチエリアＡＦによるフォーカス調整が行われ、主要被写体の背景等、合焦するＡＦ枠がより多いフォーカス位置に合焦することを抑制し、ユーザが意図する被写体に合焦させることができる。また、コンティニュアスＡＦが被写体に追随できなくなった際に、速やかに被写体に合焦させることが可能となる。
【００２６】
図３は、マルチエリアＡＦによるフォーカス制御が行われた場合と、スポットＡＦによるフォーカス制御が行われた場合とを比較する模式図である。
図３（Ａ）に示すように、より近い距離にある主要被写体（花）が画像中央に位置し、主要被写体の周囲に主要被写体より遠い距離にある背景（複数のビル）が位置している場合、マルチエリアＡＦによるフォーカス制御が行われると、面積がより大きい背景（図３（Ａ）における斜線部）に合焦する場合がある。一方、スポットＡＦによるフォーカス制御が行われると、中央のＡＦ枠の位置にある主要被写体（図３（Ａ）における網掛け部）に合焦する。
また、図３（Ｂ）に示すように、より遠い距離にある主要被写体（人物）が画像中央に位置し、主要被写体の周囲に主要被写体より近い距離にある背景（木の葉）が位置している場合、マルチエリアＡＦによるフォーカス制御が行われると、面積がより大きい背景（図３（Ｂ）における斜線部）に合焦する場合がある。一方、スポットＡＦによるフォーカス制御が行われると、中央のＡＦ枠の位置にある主要被写体（図３（Ｂ）における網掛け部）に合焦する。
【００２７】
次に、動作を説明する。
［動画撮影処理］
図４は、図２の機能的構成を有する図１の撮影装置１が実行する動画撮影処理の流れを説明するフローチャートである。
動画撮影処理は、撮影装置１が動画を撮影する撮影モードとされ、コンティニュアスＡＦの実行が指示された場合に開始される。
【００２８】
ステップＳ１において、ＡＦ調整制御部５１は、第１ＡＦ調整部５２による動画コンティニュアスＡＦ制御処理（後述）を実行する。
ステップＳ２において、ＡＦ調整制御部５１は、前述したような所定の操作子が操作されたか否かの判定を行う。
所定の操作子が操作された場合、ステップＳ２においてＹＥＳと判定されて、処理はステップＳ３に移行する。
一方、所定の操作子が操作されていない場合、ステップＳ２においてＮＯと判定されて、処理はステップＳ１に移行し、動画コンティニュアスＡＦ制御処理を繰り返す。
【００２９】
ステップＳ３において、ＡＦ調整制御部５１は、第２ＡＦ調整部５３によるスポットＡＦにフォーカス調整を切り替え、ＡＦ枠設定部５４によって撮像画像中央に１つのＡＦ枠を設定する。
ステップＳ４において、第２ＡＦ調整部５３は、フォーカスレンズ１１ｃを移動させ、撮像画像中央に設定されたスポットＡＦのためのＡＦ枠におけるコントラスト値をサーチする。
ステップＳ５において、第２ＡＦ調整部５３は、撮像画像中央に設定されたスポットＡＦのためのＡＦ枠におけるコントラスト値がピークとなるフォーカスレンズ１１ｃの位置（即ち、フォーカス位置）が検出されたか否かの判定を行う。
フォーカス位置が検出されていない場合、ステップＳ５においてＮＯと判定されて、処理はステップＳ４に移行する。
フォーカス位置が検出された場合、ステップＳ５においてＹＥＳと判定されて、処理はステップＳ６に移行する。
【００３０】
ステップＳ６において、第２ＡＦ調整部５３は、フォーカス位置にフォーカスレンズ１１ｃを移動させる。これにより、撮像画像中央のＡＦ枠の被写体に合焦した状態となる。
ステップＳ７において、ＡＦ調整制御部５１は、第２ＡＦ調整部５３によるフォーカス調整（スポットＡＦ調整）を終了させる。
ステップＳ７の後、処理はステップＳ１に戻り、第２ＡＦ調整部５３が移動させたフォーカス位置から動画コンティニュアスＡＦ制御処理を繰り返す。
【００３１】
［動画コンティニュアスＡＦ制御処理］
次に、動画撮影処理のステップＳ１において実行される動画コンティニュアスＡＦ制御処理について説明する。
図５は、動画撮影処理のステップＳ１において実行される動画コンティニュアスＡＦ制御処理の流れを説明するフローチャートである。
ステップＳ１１において、ＡＦ枠設定部５４は、マルチエリアＡＦのための複数のＡＦ枠を画像内に設定する。
【００３２】
ステップＳ１２において、第１ＡＦ調整部５２は、図３（Ａ）、（Ｂ）に示したように、コンティニュアスＡＦのためのフォーカス制御における初回動作であるか否かの判定を行う。
コンティニュアスＡＦのためのフォーカス制御における初回動作である場合、ステップＳ１２においてＹＥＳと判定されて、処理はステップＳ１３に移行する。
【００３３】
ステップＳ１３において、第１ＡＦ調整部５２は、フォーカスレンズ１１ｃを移動させ、各ＡＦ枠におけるコントラスト値をサーチする。
ステップＳ１６において、第１ＡＦ調整部５２は、いずれかのＡＦ枠におけるコントラスト値がピークとなるフォーカスレンズ１１ｃの位置（即ち、フォーカス位置）が検出されたか否かの判定を行う。
ステップＳ１７において、第１ＡＦ調整部５２は、フォーカス位置にフォーカスレンズ１１ｃを移動させる。これにより、所定のＡＦ枠の被写体に合焦した状態となる。
ステップＳ１８において、ＡＦ調整制御部５１は、第１ＡＦ調整部５２によるフォーカス調整（マルチエリアＡＦ調整）を終了させる。
ステップＳ１８の後、処理はステップＳ１２に戻る。
【００３４】
一方、コンティニュアスＡＦのためのフォーカス制御における初回動作でない場合、ステップＳ１２においてＮＯと判定されて、処理はステップＳ１４に移行する。
ステップＳ１４において、第１ＡＦ調整部５２は、フォーカス調整を安定状態（コントラスト値のサーチを停止した状態）に設定する。
ステップＳ１５において、第１ＡＦ調整部５２は、フォーカス調整の環境変化（被写体の移動や画角の変化等）があるか否かの判定を行う。
フォーカス調整の環境変化がない場合、ステップＳ１５においてＮＯと判定されて、処理はステップＳ１４に移行し、安定状態の設定を維持したまま、ステップＳ１５の判定を繰り返す。
フォーカス調整の環境変化がある場合、ステップＳ１５においてＹＥＳと判定されて、処理はステップＳ１３に移行する。ここからは、初回動作時とは異なり、現在のフォーカス位置を基準としたフォーカス位置の検出を行う。
なお、予め設定された時間が経過すると、動画コンティニュアスＡＦ制御処理は終了され、動画撮影処理に戻る。
【００３５】
このような処理により、所定の操作子が操作された場合、スポットＡＦにより撮像画像中央の被写体に合焦し、その後、撮像画像中央の被写体のフォーカス位置を基準として、マルチエリアＡＦが継続される。
したがって、ユーザが意図する被写体に速やかに合焦させることができる。
【００３６】
［変形例１］
上述の実施形態において、マルチエリアＡＦの実行中に所定の操作子が操作された場合、スポットＡＦによって撮像画像中央の被写体に合焦した後に、マルチエリアＡＦを再開する場合を例に挙げて説明した。これに対し、スポットＡＦによって撮像画像中央の被写体に合焦した後、所定の操作子の操作が継続している間（例えば、所定の操作子の押し続け）、フォーカス位置を固定させるフォーカスロックを実行することとしてもよい。
【００３７】
図６は、変形例１における動画撮影処理の流れを説明するフローチャートである。
なお、図６に示す動画撮影処理において、図４に示す動画撮影処理と同様のステップについては、同一の番号を付して図４の説明を参照するものとする。
【００３８】
図６において、ステップＳ１からステップＳ６の処理は、図４に示す動画撮影処理と同様である。
ステップＳ６の後、ステップＳ６０１において、第２ＡＦ調整部５２は、ステップＳ６で移動させたフォーカスレンズ１１ｃの位置を固定することにより、フォーカス位置を固定（フォーカスロック）させる。
【００３９】
ステップＳ６０２において、ＡＦ調整制御部５１は、所定の操作子の操作が解除されたか否かの判定を行う。
所定の操作子の操作が解除されていない場合、ステップＳ６０２においてＮＯと判定されて、処理はステップＳ６０１に移行する。
一方、所定の操作子の操作が解除された場合、ステップＳ６０２においてＹＥＳと判定されて、処理はステップＳ７に移行する。
なお、ステップＳ７の処理は、図４に示す動画撮影処理と同様である。
【００４０】
このような処理により、所定の操作子が操作されることにより、スポットＡＦによって撮像画像中央の被写体に合焦した後、所定の操作子が継続して操作されている間、フォーカスロックを実行することができる。
【００４１】
［変形例２］
上述の実施形態において、マルチエリアＡＦの実行中に所定の操作子が操作された場合、スポットＡＦによって撮像画像中央の被写体に合焦した後に、マルチエリアＡＦを再開する場合を例に挙げて説明した。これに対し、変形例１と同様に、スポットＡＦによって撮像画像中央の被写体に合焦した後、フォーカス位置を固定させるフォーカスロックを実行することとしてもよい。ただし、変形例２においては、所定の操作子の操作が継続して操作されている間はフォーカスロックを実行することに代えて、一度、所定の操作子が操作されるとフォーカスロックを実行し、再び同じ所定の操作子が操作されるとフォーカスロックが解除されるものとする。
【００４２】
図７は、変形例２における動画撮影処理の流れを説明するフローチャートである。
なお、図７に示す動画撮影処理において、図４に示す動画撮影処理と同様のステップについては、同一の番号を付して図４の説明を参照するものとする。
図７において、ステップＳ１からステップＳ６の処理は、図４に示す動画撮影処理と同様である。
ステップＳ６の後、ステップＳ６１１において、第２ＡＦ調整部５２は、ステップＳ６で移動させたフォーカスレンズ１１ｃの位置を固定することにより、フォーカス位置を固定（フォーカスロック）させる。
【００４３】
ステップＳ６１２において、ＡＦ調整制御部５１は、所定の操作子が再び操作されたか否かの判定を行う。
所定の操作子が操作されていない場合、ステップＳ６１２においてＮＯと判定されて、処理はステップＳ６１１に移行する。
一方、所定の操作子が操作された場合、ステップＳ６１２においてＹＥＳと判定されて、処理はステップＳ７に移行する。
なお、ステップＳ７の処理は、図４に示す動画撮影処理と同様である。
【００４４】
このような処理により、所定の操作子が操作されることにより、スポットＡＦによって撮像画像中央の被写体に合焦した後、所定の操作子が再び操作されるまで、フォーカスロックを実行することができる。
【００４５】
［第２実施形態］
第１実施形態において、所定の操作子が操作されることを契機として、第１ＡＦ調整部５２によるマルチエリアＡＦから第２ＡＦ調整部５３によるスポットＡＦに切り替える場合を例に挙げて説明した。
これに対し、第２実施形態の撮影装置１では、第１ＡＦ調整部５２によるマルチエリアＡＦから第２ＡＦ調整部５３によるスポットＡＦに自動的に切り替えるものとする。
具体的には、ＡＦ調整制御部５１が、コンティニュアスＡＦが正常に動作しているか否か（即ち、一定時間以内にフォーカス位置が決定しているか否か）を判定する判定部５５（図示省略）を更に備え、判定部５５がコンティニュアスＡＦが正常に動作していないと判定した場合に、第１ＡＦ調整部５２によるマルチエリアＡＦから第２ＡＦ調整部５３によるスポットＡＦに自動的に切り替える。
【００４６】
このような機能は、第１実施形態の図４に示す動画撮影処理におけるステップＳ２の処理を、ＡＦ調整制御部５１が、コンティニュアスＡＦが正常に動作しているか否かを判定する処理に置き換えることにより実現することができる。即ち、ステップＳ２において、判定部５５が、コンティニュアスＡＦが正常に動作していないと判定した場合、ＡＦ調整制御部５１が、処理をステップＳ３に移行させることにより、第１ＡＦ調整部５２によるマルチエリアＡＦから第２ＡＦ調整部５３によるスポットＡＦに自動的に切り替えることができる。
【００４７】
［変形例３］
上述の各実施形態において、スポットＡＦを行うための１つのＡＦ枠を入力部２２を介してユーザが指定することとしてもよい。
具体的には、マルチエリアＡＦのための複数のＡＦ枠のいずれかを選択したり、所定の大きさのＡＦ枠を１画素単位の任意の位置に設定したりできるようにする。
また、ＡＦ枠の大きさや形状を入力部２２を介してユーザが任意に指定することとしてもよい。
これにより、ユーザが意図する被写体の位置、大きさあるいは形状を柔軟に指定して、スポットＡＦによるフォーカス調整を行うことが可能となる。
【００４８】
［変形例４］
上述の各実施形態では、フォーカス調整において、マルチエリアＡＦとスポットＡＦとを切り替える場合を例に挙げて説明したが、他の撮像条件について、同様に本発明を適用することができる。例えば、自動露出（ＡＥ）あるいは自動ホワイトバランス（ＡＷＢ）についても、マルチエリアによる制御とスポットによる制御を行うことを可能とし、いずれの撮像条件について、これらの制御を切り替えるかをメニュー画面あるいはキー操作によってユーザが選択することとしてもよい。
これにより、動画撮影中に、種々の撮像条件を適切に調整することが可能となる。
【００４９】
以上のように構成される撮影装置１は、ＡＦ調整制御部５１と、第１ＡＦ調整部５２と、第２ＡＦ調整部５３と、入力部２２とを備える。
第１ＡＦ調整部５２は、撮像部１Ａにより撮像される撮像画像内の位置が可変である測定領域に基づき、撮像条件を調整する。
第２ＡＦ調整部５３は、撮像画像内の位置が固定である測定領域に基づき、撮像条件を調整する。
ＡＦ調整制御部５１は、動画撮影中は第１ＡＦ調整部５２による撮像条件の調整を継続する制御を行う。
入力部２２あるいは判定部５５は、ＡＦ調整制御部５１による撮像条件を調整する制御の変更指示を行う。
ＡＦ調整制御部５１は、第１ＡＦ調整部５２による撮像条件の継続した調整中における入力部２２あるいは判定部５５の指示により、第１ＡＦ調整部５２による撮像条件の調整を中断して、第２ＡＦ調整部５３による撮像条件の調整を開始する。
これにより、撮影装置１においては、撮像画像内の位置が可変である測定領域に基づいて撮像条件の調整が行われているときに、撮像条件を調整する制御の変更指示が行われた場合、撮像画像内の位置が固定である測定領域に基づいて撮像条件の調整が行われる。
そのため、ユーザが意図する被写体に速やかに撮像条件を調整することができる。
したがって、動画撮影中の適切な撮像条件を維持することができる。
【００５０】
また、第１ＡＦ調整部５２は、複数の測定領域において動画撮影中に変化する各々の測定結果に基づいて、撮像条件の決定に用いる測定領域を変化させながら撮像条件を逐次調整する。
また、第２ＡＦ調整部５３は、予め指定された固定である測定領域において動画撮影中に変化する測定結果に基づいて撮像条件を逐次調整する。
これにより、撮像画像内の複数の測定領域に基づく撮像条件の調整と、撮像画像内の予め指定された固定である測定領域に基づく撮像条件の調整とを適切に切り替えて、動画撮影を行うことができる。
【００５１】
また、ＡＦ調整制御部５１は、入力部２２の指示により、第２ＡＦ調整部５３による撮像条件の調整を開始し、調整が完了した後、第２ＡＦ調整部５３が調整した撮像条件を基準として、第１ＡＦ調整部５２による撮像条件の調整を再開する。
これにより、撮像画像内の位置が固定である測定領域に基づいて撮像条件の調整が行われた後、その撮像条件を基準として、撮像画像内の複数の測定領域に基づいて撮像条件の調整を行うことができる。
したがって、ユーザが意図する被写体に速やかに撮像条件を調整することができる。
【００５２】
また、ＡＦ調整制御部５１は、入力部２２の操作により、第２ＡＦ調整部５３による撮像条件の調整を開始し、調整が完了した後は、次に、入力部２２による指示が行われるまでは、その調整が完了した状態を保持する。
これにより、撮像画像内の位置が固定である測定領域に基づいて調整した撮像条件を固定して、撮影を行うことができる。
【００５３】
また、ＡＦ調整制御部５１は、次に、入力部２２による指示が行われた際に、第２ＡＦ調整部５３が調整した撮像条件を基準として、第１ＡＦ調整部５２による撮像条件の調整を再開する。
これにより、撮像画像内の位置が固定である測定領域に基づいて調整した撮像条件を基準として、撮像画像内の複数の測定領域に基づいて撮像条件の調整を再び行うことができる。
【００５４】
また、入力部２２は、動画撮影中のユーザによる所定の操作子による操作を契機として、ＡＦ調整制御部５１による撮像条件を調整する制御の変更指示を行う。
これにより、ユーザの操作によって、撮像条件の調整方法を切り替えることができる。
【００５５】
また、判定部５５は、動画撮影中、第１ＡＦ調整部５２による撮像条件の調整が正常に行われているか否かを判定する。
判定部５５により、第１ＡＦ調整部５２による撮像条件の調整が正常に行われていないと判定された場合に、ＡＦ調整制御部５１において、第２ＡＦ調整部５３による撮像条件の調整を開始する指示が行われる。
これにより、第１ＡＦ調整部５２による撮像条件の調整から第２ＡＦ調整部５３による撮像条件の調整に自動的に切り替えることができる。
【００５６】
また、第１ＡＦ調整部５２は、撮像画像内の複数の測定領域に基づき、撮像条件を調整する。
第２ＡＦ調整部５３は、複数の測定領域のうちのいずれか１つの測定領域に基づき、撮像条件を調整する。
これにより、第２ＡＦ調整部５３による撮像条件の調整では、第１ＡＦ調整部５２による撮像条件の調整における測定領域のいずれかを選択して撮像条件の調整を行うことができる。
【００５７】
また、入力部２２は、第２ＡＦ調整部５３が撮像条件の調整に使用する領域を、複数の測定領域のうちからユーザの所定の操作により設定する。
これにより、ユーザが意図する被写体の領域を柔軟に指定して、スポットＡＦによるフォーカス調整を行うことが可能となる。
【００５８】
また、第１ＡＦ調整部５２及び第２ＡＦ調整部５３は、撮像条件として、フォーカス、露出又はホワイトバランスのうちのいずれか又はそれらの組み合わせを調整する。
これにより、動画撮影中に、種々の撮像条件を適切に調整することが可能となる。
【００５９】
なお、本発明は、上述の実施形態に限定されるものではなく、本発明の目的を達成できる範囲での変形、改良等は本発明に含まれるものである。
【００６０】
上述の実施形態において、第１ＡＦ調整部５２によるフォーカス調整と第２ＡＦ調整部５３によるフォーカス調整とを切り替えるための所定の操作子として、他の特定の機能を割り当てられたキーを兼用することとしてもよい。例えば、撮影装置１が、手動でフォーカスロックを行うためのＡＦロックキーや、手動で絞り値をロックするためのＡＥ（Ａｕｔｏｍａｔｉｃ  Ｅｘｐｏｓｕｒｅ）ロックキーを備える場合に、これらのキーを所定の操作子として兼用することとしてもよい。
【００６１】
また、上述の各実施形態、変形例等に示す機能を適宜組み合わせて撮影装置１を構成することが可能である。
【００６２】
また、上述の実施形態では、本発明が適用される撮影装置１は、デジタルカメラを例として説明したが、特にこれに限定されない。
例えば、本発明は、フォーカス調整機能を有する電子機器一般に適用することができる。具体的には、例えば、本発明は、ノート型のパーソナルコンピュータ、ビデオカメラ、携帯型ナビゲーション装置、携帯電話機、スマートフォン、ポータブルゲーム機等に適用可能である。
【００６３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００６４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６５】
このようなプログラムを含む記録媒体は、ユーザにプログラムを提供するために装置本体とは別に配布される図１のリムーバブルメディア２９により構成されるだけでなく、装置本体に予め組み込まれた状態でユーザに提供される記録媒体等で構成される。リムーバブルメディア２９は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ２１等で構成される。
【００６６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００６７】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００６８】
以下に、本願の出願当初の特許請求の範囲に記載された発明を付記する。
［付記１］
動画撮影を行う撮影装置であって、
撮像手段により撮像される撮像画像内の位置が可変である測定領域に基づき、撮像条件を調整する第１の調整手段と、
撮像画像内の位置が固定である測定領域に基づき、撮像条件を調整する第２の調整手段と、
動画撮影中は前記第１の調整手段による撮像条件の調整を継続する制御を行う調整制御手段と、
前記調整制御手段による撮像条件を調整する制御の変更指示を行う変更指示手段と、
を備え、
前記調整制御手段は、前記第１の調整手段による撮像条件の継続した調整中における前記変更指示手段の指示により、前記第１の調整手段による撮像条件の調整を中断して、前記第２の調整手段による撮像条件の調整を開始することを特徴とする撮影装置。
［付記２］
前記第１の調整手段は、複数の測定領域において動画撮影中に変化する各々の測定結果に基づいて、撮像条件の決定に用いる測定領域を変化させながら撮像条件を逐次調整し、
前記第２の調整手段は、予め指定された固定である測定領域において動画撮影中に変化する測定結果に基づいて撮像条件を逐次調整することを特徴とする付記１に記載の撮影装置。
［付記３］
前記調整制御手段は、前記変更指示手段の指示により、前記第２の調整手段による撮像条件の調整を開始し、調整が完了した後、前記第２の調整手段が調整した撮像条件を基準として、前記第１の調整手段による撮像条件の調整を再開することを特徴とする付記１又は２に記載の撮影装置。
［付記４］
前記調整制御手段は、前記変更指示手段の操作により、前記第２の調整手段による撮像条件の調整を開始し、調整が完了した後は、次に、前記変更指示手段による指示が行われるまでは、その調整が完了した状態を保持することを特徴とする付記１又は２に記載の撮影装置。
［付記５］
前記調整制御手段は、次に、前記変更指示手段による指示が行われた際に、前記第２の調整手段が調整した撮像条件を基準として、前記第１の調整手段による撮像条件の調整を再開する付記４に記載の撮影装置。
［付記６］
前記変更指示手段は、動画撮影中のユーザによる所定の操作子による操作を契機として、前記調整制御手段による撮像条件を調整する制御の変更指示を行うことを特徴とする付記１から５のいずれか１つに記載の撮影装置。
［付記７］
動画撮影中、前記第１の調整手段による撮像条件の調整が正常に行われているか否かを判別する判別手段を、更に備え、
前記変更指示手段は、前記判別手段により、前記第１の調整手段による撮像条件の調整が正常に行われていないと判別された場合に、前記調整制御手段に、前記第２の調整手段による撮像条件の調整を開始する指示を行うことを特徴とする付記１に記載の撮影装置。
［付記８］
前記第１の調整手段は、撮像画像内の複数の測定領域に基づき、撮像条件を調整し、
前記第２の調整手段は、複数の測定領域のうちのいずれか１つの測定領域に基づき、撮像条件を調整することを特徴とする付記２に記載の撮影装置。
［付記９］
前記第２の調整手段が撮像条件の調整に使用する領域を、複数の測定領域のうちからユーザの所定の操作により設定する領域設定手段を、更に備えることを特徴とする付記８に記載の撮影装置。
［付記１０］
前記第１の調整手段及び前記第２の調整手段は、撮像条件として、フォーカス、露出又はホワイトバランスのうちのいずれか又はそれらの組み合わせを調整することを特徴とする付記１から９のいずれか１つに記載の撮影装置。
［付記１１］
動画撮影を行う撮影装置において実行される撮像制御方法であって、
撮像手段により撮像される撮像画像内の位置が可変である測定領域に基づき、撮像条件を調整する第１の調整処理と、
撮像画像内の位置が固定である測定領域に基づき、撮像条件を調整する第２の調整処理と、
動画撮影中は前記第１の調整処理による撮像条件の調整を継続する制御を行う調整制御処理と、
前記調整制御処理による撮像条件を調整する制御の変更指示を行う変更指示処理と、
を含み、
前記調整制御処理においては、前記第１の調整処理による撮像条件の継続した調整中における前記変更指示処理における指示により、前記第１の調整処理による撮像条件の調整を中断して、前記第２の調整処理による撮像条件の調整を開始することを特徴とする撮像制御方法。
［付記１２］
動画撮影を行う撮影装置を制御するコンピュータに、
撮像手段により撮像される撮像画像内の位置が可変である測定領域に基づき、撮像条件を調整する第１の調整機能と、
撮像画像内の位置が固定である測定領域に基づき、撮像条件を調整する第２の調整機能と、
動画撮影中は前記第１の調整機能による撮像条件の調整を継続する制御を行う調整制御機能と、
前記調整制御機能による撮像条件を調整する制御の変更指示を行う変更指示機能と、
を備え、
前記調整制御機能は、前記第１の調整機能による撮像条件の継続した調整中における前記変更指示機能の指示により、前記第１の調整機能による撮像条件の調整を中断して、前記第２の調整機能による撮像条件の調整を開始することを特徴とするプログラム。
【符号の説明】
【００６９】
１・・・撮影装置，１Ａ・・・撮像部，１１・・・レンズユニット，１１ａ・・・ズームレンズ，１１ｂ・・・露光制御部，１１ｃ・・・フォーカスレンズ，１１ｄ・・・撮像素子，１２・・・撮像データ処理部，１３・・・コントラスト値出力部，１４・・・ＡＦ演算部，１５・・・レンズ駆動制御部，１６・・・ＤＭＡコントローラ，１７・・・ＤＲＡＭインターフェース，１８・・・ＤＲＡＭ，１９・・・ストロボ駆動部，２０・・・ストロボ発光部，２１・・・ＲＯＭ，２２・・・入力部，２３・・・ＣＰＵ，２４・・・画像処理部，２５・・・ＶＲＡＭコントローラ，２６・・・ＶＲＡＭ，２７・・・表示部，２８・・・ドライブ，２９・・・リムーバブルメディア，５１・・・ＡＦ調整制御部，５２・・・第１ＡＦ調整部，５３・・・第２ＡＦ調整部，５４・・・ＡＦ枠設定部，５５・・・判定部，７１・・・画像記憶部
【図１】
0006547318.tif 000002
【図２】
0006547318.tif 000003
【図３】
0006547318.tif 000004
【図４】
0006547318.tif 000005
【図５】
0006547318.tif 000006
【図６】
0006547318.tif 000007
【図７】
0006547318.tif 000008